(57)【要約】      （修正有）【課題】自己完結型の電力源に接続される電子カメラを附設し、特定領域を電子カメラで撮影可能となして、防犯・監視対策などにも有益な複合機能を具有させ、しかも電力源の省電力化を図るようにした屋外灯を提供する。【解決手段】垂直部３１と、垂直部３１から斜め上方へ延び出た傾斜突出部５Ａとを有する一体的なパイプ材からなる本体２と、パネル支持部３４の上端部に取り付けられたソーラーパネル４と、ソーラーパネル４で発電された電荷を蓄電する蓄電部９と、傾斜突出部５Ａに組み込まれた複数の発光ダイオードからなる照明部５と、ケース体６１内に格納された監視カメラ６と、その監視カメラ６で撮影された画像を予め定められた送信先に送信する通信装置と、その監視カメラの駆動を制御するカメラ制御部と、監視カメラで撮影した画像の通信を制御する通信制御部と、を含む構成とした。【選択図】図１
2010192374.tif 000002
【特許請求の範囲】
【請求項１】
地面側から垂直に立ち上がる垂直部と、
その垂直部の上端部から斜め上方へ延び出た傾斜突出部とを有する一体的なパイプ材からなる本体と、
その本体の垂直部の上端から前記傾斜突出部に関して分岐する形態で垂直上方へ同軸的に延びるパネル支持部と、
そのパネル支持部の上端部に取り付けられたソーラパネルと、
前記本体の下端部に形成され設置面に固定するための固定部と、
その固定部の近傍に形成された格納部に格納され、前記ソーラパネルで発電された電荷を蓄電する蓄電部と、
前記本体の傾斜突出部から下側へ光を照射するように該傾斜突出部に組み込まれた複数の発光ダイオードからなる照明光源と、
前記ソーラパネルと蓄電部及び蓄電部と前記照明光源とを電気的に接続する、前記本体を構成するパイプ材の内部空間に取り回される配線と、
前記本体の垂直部から前記傾斜突出部が延び出す部位の下側近傍の該垂直部に、又は該傾斜突出部の基端部に設けられたケース体と、
そのケース体内に格納されるとともに、そのケース体に形成された窓部から前記傾斜突出部の照明光源の照射領域を少なくとも含むように撮影範囲が設定された監視カメラと、
前記ケース体内に格納され前記監視カメラの駆動を制御するカメラ制御部と、
前記ケース体内に格納されその監視カメラで撮影された画像を予め定められた送信先へ送信する通信装置と、
前記ケース体内に格納され前記監視カメラで撮影した画像の通信を制御する通信制御部と、
前記蓄電部と前記監視カメラ、前記通信装置、前記カメラ制御部及び前記通信制御部とを前記本体の内部空間、及び前記ケース体内を取り回して相互に接続するカメラ用配線と、
を含むことを特徴とする屋外灯。
【請求項２】
前記ケース体に格納される前記監視カメラのカメラレンズを、前記窓部として形成された開口に位置させて、前記撮影範囲を臨むように配設させた態様で、このケース体が前記本体に固定されることを特徴とする請求項１に記載の屋外灯。
【請求項３】
前記ケース体は連結部材を介して前記本体に固定され、その連結部材は前記本体に対し環状に締結されたリング状部と、そのリング状部と前記ケース体をつなぐブラケット部とを備え、そのブラケット部に対して前記ケース体が少なくとも上下方向に所定の角度で回動可能とされるヒンジ結合され、そのヒンジ結合における特定の角度で固定されることを特徴とする請求項１又は２に記載の屋外灯。
【請求項４】
前記ケース体は連結部材を介して前記本体に固定され、その連結部材はブラケット部として形成され、そのブラケット部は前記本体に形成された取付部に一端部が固定され、他端部が前記ケース体に連結され、かつ、ブラケット部に対して前記ケース体が少なくとも上下方向に所定の角度で回動可能とされるヒンジ結合され、そのヒンジ結合における特定の角度で固定されることを特徴とする請求項１又は２に記載の屋外灯。
【請求項５】
前記連結部材としてのブラケット部の他端側には保持片が設けられ、前記ケース体の下部には突片が設けられ、前記保持片と前記突片とは、支持ピンによって連結され、支持ピンにより前記ケース体の全体の少なくとも上下方向の角度が変更されるように前記支持ピン周りに回動可能に支持され、前記ケース体が所定の角度で固定されることにより、前記監視カメラの前記カメラレンズの撮影角度もまた所定の角度に固定されることを特徴とする請求項３又は４に記載の屋外灯。
【請求項６】
前記ケース体の前記窓部の上側部位から外方へ突き出すようにフードが設けられ、該フードの内方に、前記監視カメラの前記カメラレンズが配設されることを特徴とする請求項２ないし５のいずれか１項に記載の屋外灯。
【請求項７】
前記ケース体内には、前記撮影範囲に居る撮影対象を検出するセンサが格納され、前記撮影範囲に居る撮影対象が前記センサで検出されたことを条件として、前記監視カメラによって前記撮影対象を所定時間にわたって撮影することを特徴とする請求項１ないし６のいずれか１項に記載の屋外灯。
【請求項８】
前記センサは、前記前記監視カメラの前記カメラレンズと一体的に組み込まれ、前記ケース体の前記窓部を通して前記監視カメラの撮影範囲に前記撮影対象が存在するかどうかを検出するものであることを特徴とする請求項７に記載の屋外灯。
【請求項９】
前記監視カメラによる撮影は、所定時間の間隔ごとに、所定時間にわたって撮影されることを特徴とする請求項１ないし８のいずれか１項に記載の屋外灯。
【請求項１０】
前記監視カメラによる撮影を制御する制御条件を、予め前記カメラ制御部に設定可能であることを特徴とする請求項１ないし９のいずれか１項に記載の屋外灯。
【請求項１１】
前記ソーラーパネルは、２体一組でパネルユニットとなすように、傾斜状態で前記パネル支持部を中心として、該パネル支持部の立ち上がり方向と直交する方向の両側に対称状に並列配置され、
このパネルユニットを、前記パネル支持部を軸心として回転変位自在に連結させ、前記パネルユニットの下端を、自身の回転変位時に前記傾斜突出部と非接触となすようにしたことを特徴とする請求項１ないし１０のいずれか１項に記載の屋外灯。
【発明の詳細な説明】
【技術分野】
【０００１】
本発明は、特定領域を撮影する電子カメラを附設した、屋外に設置される屋外灯に関する。
【背景技術】
【０００２】
従来より、街路灯などの屋外に設置される屋外灯として、太陽光を受けて発電するソーラーパネルを備えたものが知られている（特許文献１参照）。
【先行技術文献】
【特許文献】
【０００３】
【特許文献１】特開２００３−５１２０８号公報
【０００４】
このような屋外灯は、外部からの電力供給を必要としないため、電灯線、動力線などの電力線網が整備されていなくても、その設置が可能となることによって、種々の場所での利用が図られている。
近年、屋外灯としては、特定範囲を照明するようにした単機能だけにとらわれずに、その自己完結型の電力源の付加価値を高めるために複合機能を備えさせる提案が望まれている。
【発明の概要】
【発明が解決しようとする課題】
【０００５】
本発明は、上記実情に鑑みてなされたものであり、自己完結型の電力源としての電源ユニトに接続される電子カメラを附設し、特定領域を電子カメラで撮影可能となして、防犯・監視対策などにも有益な複合機能を具有させるようにした屋外灯を提供することにある。
【課題を解決するための手段及び発明の効果】
【０００６】
上記課題を解決するために、本発明の屋外灯は、地面側から垂直に立ち上がる垂直部と、その垂直部の上端部から斜め上方へ延び出た傾斜突出部とを有する一体的なパイプ材からなる本体と、その本体の垂直部の上端から前記傾斜突出部に関して分岐する形態で垂直上方へ同軸的に延びるパネル支持部と、そのパネル支持部の上端部に取り付けられたソーラパネルと、前記本体の下端部に形成され設置面に固定するための固定部と、その固定部の近傍に形成された格納部に格納され、前記ソーラパネルで発電された電荷を蓄電する蓄電部と、前記本体の傾斜突出部から下側へ光を照射するように該傾斜突出部に組み込まれた複数の発光ダイオードからなる照明光源と、前記ソーラパネルと蓄電部及び蓄電部と前記照明光源とを電気的に接続する、前記本体を構成するパイプ材の内部空間に取り回される配線と、前記本体の垂直部から前記傾斜突出部が延び出す部位の下側近傍の該垂直部に、又は該傾斜突出部の基端部に設けられたケース体と、そのケース体内に格納されるとともに、そのケース体に形成された窓部から前記傾斜突出部の照明光源の照射領域を少なくとも含むように撮影範囲が設定された監視カメラと、前記ケース体内に格納され前記監視カメラの駆動を制御するカメラ制御部と、前記ケース体内に格納されその監視カメラで撮影された画像を予め定められた送信先に送信する通信装置と、前記ケース体内に格納され前記監視カメラで撮影した画像の通信を制御する通信制御部と、前記蓄電部と前記監視カメラ、前記通信装置、前記カメラ制御部及び前記通信制御部とを前記本体の内部空間、及び前記ケース体内を取り回して相互に接続するカメラ用配線と、を含むことを特徴とする。
【０００７】
上記構成とすることにより、防犯システムの主要素としての、監視カメラ、通信装置、通信制御部、カメラ制御部がケース体内に格納されているため、一つの組立品として取り扱うことができ、この組立品の電気的な設定・調整作業が工場内で可能となる。また、設定・調整済みの組立品であるため、屋外の設置場所における現場作業では単に支柱に組立品を装着すれば良く作業性が良好となる。また、予め定められた送信先に画像が送信されるため、画像を確認することができる。このため屋外灯の設置箇所の周辺の状況を把握できるので、防犯対策や工事現場での作業進捗の確認による工程管理もできる。また、配線類はパイプ材の本体内に収まっており、全体が一体的な本体の外観を損なうことがない。
【０００８】
このように、太陽光が当たる場所に設置するだけで、ソーラーパネルが発電した電力を蓄電した蓄電部によって、撮影範囲を監視カメラで撮影でき、自己完結型の独立電源式で配線工事も不要なため、昼間に太陽光が当たる所であれば設置場所を自由に選ぶことができ、防犯・監視を必要とする例えば、一般家庭の家の周辺、商業店舗、工場などの敷地内やその周辺、若しくは土木・建築工事の作業現場、他に駐車場（時間貸し駐車場、高速道路などのパーキングエリアを含む）や、路上、公園、庭園などの広域広場などへの設置ができ、防犯・監視対策に有益な屋外灯装置を提供できる。
【０００９】
上記課題を解決するために、本発明の屋外灯において、前記ケース体に格納される前記監視カメラのカメラレンズを、前記窓部として形成された開口に位置させて、前記撮影範囲を臨むように配設させた態様で、このケース体が前記本体に固定されることを特徴とすることにより、監視カメラのカメラレンズ以外はケース体内に設けられるため、このケース体が耐候性・防水性などを有していれば監視カメラを保護することができ、かつ監視カメラで確実に撮影範囲を撮影できることとなる。
【００１０】
上記課題を解決するために、本発明の屋外灯において、前記ケース体は連結部材を介して前記本体に固定され、その連結部材は前記本体に対し環状に締結されたリング状部と、そのリング状部と前記ケース体をつなぐブラケット部とを備え、そのブラケット部に対して前記ケース体が少なくとも上下方向に所定の角度で回動可能とされるヒンジ結合され、そのヒンジ結合における特定の角度で固定されることを特徴とすることや、また、前記ケース体は連結部材を介して前記本体に固定され、その連結部材はブラケット部として形成され、そのブラケット部は前記本体に形成された取付部に一端部が固定され、他端部が前記ケース体に連結されかつ、ブラケット部に対して前記ケース体が少なくとも上下方向に所定の角度で回動可能とされるヒンジ結合され、そのヒンジ結合における特定の角度で固定されることを特徴とすることにより、ケース体の装着固定後でも撮影範囲に向けて監視カメラによる撮影姿勢を最適に調整できる。
【００１１】
また、このケース体は前記本体と連結部材を介して連結されており、該連結部材は、前記本体の上下方向に、その取付位置調整自在に固定されるように、前記本体に巻き付け固定する保持部材に、その一端側が固定されるとともに、他端側が前記ケース体に固定されるようにすることにより、ケース体は上下位置が調整できるため、ケース体の装着固定後でも撮影範囲に向けて監視カメラによる撮影姿勢を最適に調整できる。
【００１２】
上記課題を解決するために、本発明の屋外灯において、前記連結部材としてのブラケット部の他端側には保持片が設けられ、前記ケース体の下部には突片が設けられ、前記保持片と前記突片とは、支持ピンによって連結され、支持ピンにより前記ケース体の全体の少なくとも上下方向の角度が変更されるように前記支持ピン周りに回動可能に支持され、前記ケース体が所定の角度で固定されることにより、前記監視カメラの前記カメラレンズの撮影角度もまた所定の角度に固定されることを特徴とすることにより、ケース体の装着固定後でも撮影範囲に向けて監視カメラによる撮影姿勢を最適に調整できる。
【００１３】
上記課題を解決するために、本発明の屋外灯において、前記ケース体の前記窓部の上側部位から外方へ突き出すようにフードが設けられ、該フードの内方に、前記監視カメラの前記カメラレンズが配設されることを特徴とすることにより、風雨の強い天候時においても、カメラレンズに雨滴がかかりにくく撮影状態を良好にできる。
【００１４】
上記課題を解決するために、本発明の屋外灯において、前記ケース体内には、前記撮影範囲に居る撮影対象を検出するセンサが格納され、前記撮影範囲に居る撮影対象が前記センサで検出されたことを条件として、前記監視カメラによって前記撮影対象を所定時間にわたって撮影することを特徴とすることにより、監視カメラによって消費される電力を必要時以外、使用しないので、省電力化を図ることができる。また、前記センサは、前記前記監視カメラの前記カメラレンズと一体的に組み込まれ、前記ケース体の前記窓部を通して前記監視カメラの撮影範囲に前記撮影対象が存在するかどうかを検出するものであることを特徴とすることにより、監視カメラの撮影範囲とセンサの検出範囲を概ね同じ領域にすることができ、これによって、センサによる撮影対象が撮影範囲に存在した状態でのみ監視カメラを撮影制御できるため、監視カメラによって消費される電力を必要時以外、使用しないので、省電力化を図ることができる。
【００１５】
上記課題を解決するために、本発明の屋外灯において、前記監視カメラによる撮影は、所定時間の間隔ごとに、所定時間にわたって撮影制御されることを特徴とすることにより、監視カメラによって消費される電力を必要時以外、使用しないので、省電力化を図ることができる。また、前記制御装置は、前記監視カメラによる撮影を制御する制御条件を、予め前記カメラ制御部に設定可能であることを特徴とすることにより、屋外の設置場所に応じた撮影などの諸条件を設定できる。
【００１６】
上記課題を解決するために、本発明の屋外灯の前記ソーラーパネルは、２体一組でパネルユニットとなすように、傾斜状態で前記パネル支持部を中心として、該パネル支持部の立設方向と直交する方向の両側に対称状に並列配置され、このパネルユニットを、前記パネル支持部の上部から上方延設されるパネル支持部を軸心として回転変位自在に連結させ、前記パネルユニットの下端を、自身の回転変位時に前記傾斜突出部と非接触となすようにしたことを特徴とする。
【００１７】
上記構成とすることにより、上記効果に加え、特定場所を照明するように設置した後、パネルユニットのソーラーパネルを、照明光源が設けられる傾斜突出部に接触させないように、回転変位させて調整することができる。このため、あらゆる位置に回転変位できるので、太陽光を最も効率よく受光して受光不足も低減できる。この結果、屋外灯の設置場所が限定されないので、多様な場所への設置が可能な屋外灯を提供できる。しかも、太陽光を効率よく受光でき、発電効率を高めることができるので、蓄電部への充電量も十分確保することができるため、夜間照明時の電力不足による照明不足や消灯などの不具合を低減することができる。また、パネルユニットは、ソーラーパネルを２体一組としているため、太陽光の受光量を、例えば同一のソーラーパネルを単一で使用するものに比べて増加できるので、蓄電部への充電も増加し、照明光源による点灯時間や監視カメラによる撮影時間を延ばしたり、照明光源を明るい大型のものにすることができる。
【００１８】
また、本体の上部には、照明光源を有する傾斜突出部と、対称状に並列配置されるソーラーパネルを２体一組となしたパネルユニットを備えているため、安定感のあるバランスのとれたスマートな形態となり、斬新な美観を呈することと相まって、設置場所の雰囲気を損なわせない屋外灯を提供できる。また、ソーラーパネルは傾斜突出部より上側にあるので、ソーラーパネルの受光が傾斜突出部によって阻害されず、また照明光源による下方への照明もソーラーパネルによって阻害されないから、ソーラーパネルと照明光源との両者の機能を最大限に発揮することが可能となる。
【図面の簡単な説明】
【００１９】
【図１】本発明の実施の形態に係る屋外灯の一例を示す斜視図。
【図２】屋外灯のケース体の取付構造を示す図。
【図３】屋外灯のシステム構成を示すブロック図。
【図４】屋外灯のケース体内の内部構造を示す概略図。
【図５】屋外灯のケース体の他の取付構造を示す図。
【図６】屋外灯の正面図。
【図７】屋外灯の他の例を示す側面図。
【図８】屋外灯の背面図。
【図９】屋外灯の平面図。
【図１０】屋外灯のシステム構成を示すブロック図。
【図１１】電源ユニットの他の例を示すブロック図。
【発明を実施するための形態】
【００２０】
以下、本発明の実施形態を図面を参照しつつ説明する。図１は本発明の実施形態に係る屋外灯の一例を示す斜視図である。図１において、屋外灯１は、外部から電力供給を必要としない電力自己完結型の照明装置の一種であり、その設置場所は、防犯・監視などを必要とする例えば、一般家庭の家の周辺、商業店舗、工場などの敷地内やその周辺、若しくは土木・建築工事の作業現場、他に駐車場（時間貸し駐車場、高速道路などのパーキングエリアを含む）や、路上、公園、庭園などの広域広場などが挙げられる。
【００２１】
図１に示すように、屋外灯１は、本体である支柱２と、その支柱２の下側に配置されて支柱２を支持する格納部としての基礎ボックス３とを備えている。そして、その支柱２には、太陽光を受けて発電するソーラーパネル４と、そのソーラーパネル４が発電した電力を利用して点灯する照明部５と、その電力を利用して撮影範囲である特定領域を撮影するための監視カメラとしての電子カメラ６と、その電力を利用して特定領域に居る撮影対象を検出するセンサ７と、この電子カメラ６での撮影（駆動）を電気的に制御するとともに、センサ７での検出などを電気的に制御する制御装置８とを備えている。
【００２２】
電子カメラ６、センサ７、制御装置８は、別体形成される耐候性・防水性などを有する金属製、樹脂製からなる中空箱型状のケース体６１に内装される。このケース体６１の先端側に、窓部６１ａとして開口６１ｂが形成されるとともに、窓部６１ａの上側部位から外方へ突き出すように、雨避用のフード６０が突設されている。このケース体６１は支柱２に固定されるように設けられる。
【００２３】
この支柱２は、金属製、好ましくはステンレス製で中空筒状のパイプ材からなる。支柱２は地面側から垂直に立ち上がる垂直部としての起立部３１と、その起立部３１の上端部からは、屈曲する屈曲部３２を介して、地面側から遠ざかるように斜め上方へ延び出た傾斜突出部としての照明灯部５Ａを有している。また、起立部３１の下端部に形成され、設置面に固定するための固定部３３を有している。この固定部３３は基礎ボックス３と連結されることにより、固定部３３の近傍に基礎ボックス３が形成される形態となる。
【００２４】
そして、ケース体６１は、支柱２（本体）の起立部３１（垂直部）から照明灯部５Ａ（傾斜突出部）が延び出す部位の下側近傍の起立部３１に、又は照明灯部５Ａの基端部に設けられる。このケース体６１は起立部３１に形成、すなわち本体に固定される取付部としての環状（バンド状）に締結されたリング状部としての保持部材６２と、略Ｌ字状に形成され、その保持部材６２とケース体６１をつなぐブラケット部６３と、を備えて構成される連結部材１００を介して連結されている。この保持部材６２は起立部３１の上下方向に、その取付位置を任意に調整自在となしている。また、ケース体６１は、起立部３１の上下方向に、その傾斜角度を調整可能（首振り自在）となすように回動可能にヒンジ結合によって連結されている。
【００２５】
その構造として、例えば図２に示すように、保持部材６２は、略Ω状に形成される２体の帯状部材６２ａをボルト・ナットなどの締結部材６２ｂによって連結させて、帯状部材６２ａで起立部３１を巻き付けるようにして固定するものである。また、連結部材１００であるブラケット部６３はパイプ体で略Ｌ字状に形成され、その一端側に設けられる保持片６３ａとケース体６１の下側に設けられる半円板状の突片６４とを連結する。この保持片６３ａと突片６４とは支持ピン６５が挿通される支点孔６６を有し、支持ピン６５周りに回動可能に支持（ヒンジ結合）されている。
【００２６】
また、所定の傾斜角度で固定するために、保持片６３ａには単一の固定孔６７が形成されるとともに、突片６４には、複数の調整孔６８が支点孔６６を中心とする円弧状に配列されている。そして、固定孔６７と調整孔６８とを合わせた状態で固定ピン６９でもって固定するようにしている。また、ブラケット部６３の他端側に設けられる保持片６３ｂには、挿通孔６３ｂ１が形成され、該挿通孔６３ｂ１に締結部材６２ｂが挿通され、２体の帯状部材６２ａで挟み込まれて固定される。この結果、ケース体６１が所定の角度で固定されることにより、電子カメラ６（監視カメラ）のカメラレンズ６ａの撮影角度もまた所定の角度に固定される。
【００２７】
また、屋外灯１は、その基礎ボックス３内に、ソーラーパネル４によって発電された電荷を蓄電する鉛蓄電池、ニッケル水素電池などの二次電池である蓄電部としての電源ユニット９を備え、該電源ユニット９、電子カメラ６、センサ７を制御する制御装置８と、利用者側端末１０からの要求によってデータの授受を可能にするネットワーク１１を、複合させた態様で屋外灯１のシステムを構成している（図３参照）。
【００２８】
制御装置８は、図３に示すように、撮影機能制御部８ａと電力管理制御部８ｂとを備えており、撮影機能制御部８ａは電源ユニット９に接続され、該電源ユニット９に充電（蓄電）された電力の一部を使用して、センサ７を特定領域における撮影対象の検出が可能な作動状態に常時維持するセンサ制御部１２と、このセンサ７によって撮影対象が検知（認識中）されることのみを条件として、電子カメラ６によって撮影対象が撮影されるように、電子カメラ６を電源ユニット９に充電された電力の一部を使用して撮影作動させるカメラ制御部１３を有している。
【００２９】
図４はケース体６１内における撮影機能制御部８ａを示す概念図であり、図４（ａ）において、電子カメラ６のカメラレンズ６ａは、フード６０内に配設され、ケース体６１に形成された窓部６１ａに形成される開口６１ｂ内に位置させて、照明光源の照射領域を少なくとも含むように撮影範囲（特定領域）を撮影可能に臨むように配設されている。また、ケース体６１内には、夏場の使用時には、太陽光や電子カメラ６などによって内部温度が上昇するため、外部空気を取り入れて内部を冷やすためのファン７０が設けられている。また、冬場の使用時には、低温での電子カメラ６など作動不良を防止するため、ヒータ８０が設けられている。また、図４（ｂ）は、センサ７の他の配置例を示すものであり、センサ７は、監視カメラ６のカメラレンズ６ａと一体的に組み込まれ、ケース体６１の窓部６０を通して監視カメラ６の撮影範囲にのみ撮影対象が存在するかどうかを検出するようにしたものである。
【００３０】
また、図５に示すように、連結部材１００は、リング状部としての保持部材６２に代えて、起立部３１に溶接などによって予め固定される指示片３１ａにボルト・ナットなどの締結部材３１ｂによって連結固定させることも可能である。
【００３１】
また、図３に戻り、電力管理制御部８ｂは電源ユニット９に接続され、ソーラーパネル４によって電源ユニット９に充電されない間、すなわち太陽光が十分若しくは全く得られない、太陽が沈んだ夜や、昼中の曇天時において、電源ユニット９の充電量を検知して、該電源ユニット９による電子カメラ６と照明部５との両者を作動不能と判断する電源ユニット充電量確認部１４と、該電源ユニット充電量確認部１４での作動不能をデータ化してネットワーク１１を経由して利用者側端末１０に送信する作動不能状態送信部１５を有している。ここでの作動不能とは、例えば照明部５であれば、電圧低下によって電子カメラ６による撮影が行える明るさにできない場合、また、電子カメラ６であれば、撮影機能が停止する状態である。
【００３２】
電子カメラ６は、その撮影した画像データ（静止画や動画を含む）を利用するためにカメラ制御部１３に信号線１６及び電力線１７で接続されている。電子カメラ６は、ＣＣＤの出力を電気信号に変える汎用型のものが用いられ、このＣＣＤの出力は信号線１６を介してカメラ制御部１３に送られるものである。また、カメラ制御部１３は通信制御部としての画像通信制御部１８を備えている。カメラ制御部１３は電子カメラ６から送られてくる信号を所定のフォーマットの画像データに変換して、画像送信手段として機能する画像通信制御部１８に送っている。また、カメラ制御部１３には、画像データを記憶可能で、かつ取り出し可能となしたフラッシュメモリなどの記録媒体１９を設けることも可能である。
【００３３】
また、カメラ制御部１３は電子カメラ６による特定領域の撮影を間欠的に制御することも可能であり、例えば、所定時間（一例として５分程度）の間隔をあけて一定時間（一例として１０秒程度）の間、撮影してもよい。
【００３４】
また、特定領域に居る撮影対象を検出するセンサ７は、電子カメラ６による撮影が可能な特定領域を通過する人物や動物などの撮影対象を認識するように検出するものとして、熱移動に反応する人感センサを採用することができる。
【００３５】
画像通信制御部１８は、データの授受をリアルタイムで可能にする通信手段としてのローカルエリアネットワーク網であるネットワーク１１に接続される、画像記憶装置として機能させるように、予め定められた送信先としてのホストサーバー２１に、通信装置１８ａとしても機能させるように、無線通信よって送信するように接続されている。このホストサーバー２１は、ネットワーク１１に接続される利用者側端末１０である通信機器としてのパソコン２２や携帯通信端末２３からアクセスが可能となっており、この通信機器はホストサーバー２１に記憶されている画像データを受信して画像表示する外部に設けられる画像確認手段として機能する。また、利用者側端末１０は、作動不能状態送信部１５からのデータを受信し、作動不能の警報音を発したり、文字、記号などを表示して報知する報知部２４を有している。
【００３６】
また、この通信機器は、遠隔制御装置としても機能させることができ、電子カメラ６による撮影の開始若しくは停止を制御するようにしてもよい。また、画像通信制御部１８と携帯通信端末２３との間には、無線通信機能を有する中継機器としての無線ＬＡＮルータ２５が設けられている。
【００３７】
また、上記各制御部、通信機器や、各種制御にはコンピュータが使用される。このコンピュータの構成は周知であるため詳しい説明は省略するが、Ｉ／Ｏポートと、ＣＰＵ、ＲＯＭ及びＲＡＭを備えて、これらがバスで接続されたものである。記憶部として機能するＲＯＭ及びＲＡＭのうち、ＲＯＭには演算等に必要な制御のための公知の各種プログラムが格納されている。
【００３８】
また、ソーラーパネル４は、その発電能力に応じて、単体で使用されたり、複数で使用することができ、本例では複数のソーラーパネル４から構成するパネルユニット４Ａを用いている。
【００３９】
パネルユニット４Ａは、ソーラーパネル４を２体一組として支柱２の上部に配設される。この支柱２は、図６ないし図９に示すように、起立部３１と照明灯部５Ａとの連接位置（折れ曲がる部分）である屈曲部３２において起立部３１の上端から照明灯部５Ａに関して分岐する形態で垂直方向へ同軸的に延びるように、上方延設されるパネル支持部としての補助支柱３４とを備えている。
【００４０】
ソーラーパネル４の下方であって、照明灯部５Ａの上方先端側における下方領域には、照明窓部３２ａが開口形成され、その照明窓部３２ａに対応して照明部５が設けられている。この照明部５は耐候性・防水性を具有させるように設けられており、照明灯部５Ａの上方先端側の内部の空間を、外部に対して密封された形態で配設されることとなる。この照明部５は、照明光源（発光部）として複数の発光ダイオード５１を備え、下側へ光を照射させている。この発光ダイオード５１に代えてランプなどを使用することも可能である。また、照明部５を設ける照明窓部３２ａとしては、例えば照明灯部５Ａが円筒形態で形成されている場合には、円形若しくは楕円形に開口形成し、かかる開口形態に倣った形状の透明なカバー体５２を装着することにより、円筒形態の照明灯部５Ａと照明部５とが一体感を呈するようになる。
【００４１】
また、照明部５よりも下方の照明灯部５Ａ若しくは支柱２の密封された内部の空間には、他の実施の形態として、照明部５の発熱による熱影響を受け難くするようにして、センサ７と電子カメラ６とが耐候性・防水性を具有させた形態で配設することもできる。このことによって耐熱性の低い安価なセンサ７、電子カメラ６が使用可能となる。また、照明灯部５Ａの密封された内部の空間には上述のカメラ制御部１３、画像通信制御部１８を照明部５よりも下方位置に配設することもできる。
【００４２】
また、照明灯部５Ａには照明部５の点灯と消灯とを自動で切り替えるために周囲の照度を検知する照度センサ２６が配設されている。照度センサ２６は、制御装置８に接続され、フォトトランジスタを使用するもの、フォトダイオードを使用するもの、或いはフォトダイオードにアンプ回路を追加したものなどによって構成され、周囲の明るさを検知するものである。
【００４３】
補助支柱３４には、パネルユニット４Ａが補助支柱３４を軸心として矢印Ｒ方向に回転変位自在に連結されている。パネルユニット４Ａは太陽光を受光するのに適した角度でもってソーラーパネル４を傾斜状態となし、かかる傾斜状態で、支柱２（補助支柱３４も含む）を中心（図６の中心線ＣＬ参照）として、支柱２の立設方向と直交する方向（水平方向）の両側に対称状に並列配置される。
【００４４】
並列配置される２体のソーラーパネル４は、その下方側でほぼＵ字状に形成される上部連結部材４０ａで連結されている。該上部連結部材４０ａには、補助支柱３４と連結するための外筒部材４０ｂが垂設されている。この外筒部材４０ｂ内に補助支柱３４を挿入させ、該補助支柱３４を軸心としてパネルユニット４Ａを矢印Ｒ方向に回転変位自在となすように連結させている。
【００４５】
また、パネルユニット４Ａの任意の回転変位位置において、当該位置での回り止めを図って固定するための、係止ピンやフォロセットスクリューなどの係止部材４０ｃが使用される。このように回転変位自在に設けられるパネルユニット４Ａの下端４１は、自身の回転変位時に、照明灯部５Ａと非接触となるように、その高さ位置が設定されている。
【００４６】
また、図７に示すように、ソーラーパネル４と上部連結部材４０ａとはヒンジ部材４２で連結され、ソーラーパネル４を矢印Ｐ方向に角度調節可能に連結している。また、ソーラーパネル４は、上部連結部材４０ａに対して矢印Ｒ方向にも回転変位自在（パネルユニット４Ａの回転とは別回転）に連結することもできる。これによって支柱２の設置される場所等に応じて、太陽光を最も効率よく受光できる角度にソーラーパネル４を調整して、発電効率を高めることができる。
【００４７】
屋外灯１は、図１０（ａ）、（ｂ）に示すように、電子カメラ６、ソーラーパネル４、照明部５、照度センサ２６、並びに電源ユニット９のそれぞれが制御装置８（カメラ制御部１３、画像通信制御部１８などを含む）に接続され、この制御装置８の制御指令に基づき、それぞれ駆動制御される。これらを電気的に接続するため、例えばソーラパネル４と電源ユニット９及び電源ユニット９と照明光源とを電気的に接続する配線は、支柱２（本体）を構成するパイプ材の内部空間に配線部材Ｗ１が取り回される。また、電源ユニット９と電子カメラ６、画像通信制御部１８、カメラ制御部１３などを電気的に接続するカメラ配線は、支柱２の内部空間、及びケース体６１内に、カメラ配線部材Ｗ２を取り回して相互に接続させている。
【００４８】
また、２体のソーラーパネル４は、図１０（ａ）に示すように、並列となして制御装置８に接続されている。このように並列接続されることによって、例えば、一方のソーラーパネル４が日陰に入り、十分に太陽光を受光できなく、その発電機能が低下しても、他方のソーラーパネル４から電源ユニット９への充電が行なわれたり、また、一方のソーラーパネル４が故障によって発電しなくなった場合でも、他方のソーラーパネル４によって電源ユニット９への充電が行なわれる。また、並列接続の場合には、単一のものに比べ、充電時の最大電流が２倍となり、電源ユニット９の容量を大きくすることができ、明るさを強くする発光ダイオード５１を使用することができ、夜間の照明能力が向上する。また、図１０（ｂ）に示すように、２体のソーラーパネル４を直列となして制御装置８に接続されている。このように直列接続されることによって、充電時の最大電圧を２倍にすることができ、電源ユニット９、発光ダイオード５１の定格電圧を上げることができ、点灯照明時間が同じであれば、単一のものに比べ、その明るさをより明るくでき、夜間の照明能力が向上する。
【００４９】
また、電源ユニット９は二次電池に加えて、複数の電気二重層コンデンサを使用した電源ユニット９０を使用することもできる。また、電源ユニット９に代えて電源ユニット９０を単独で使用することもできる。また、図１１に示すように、電源ユニット９０は負荷としての制御装置８に定電圧を与えるため、負荷と電気二重層コンデンサの間にＤＣ／ＤＣコンバータ９０ａを使用している。電気二重層コンデンサ両端の電圧が低下するにつれ、ＤＣ／ＤＣコンバータ９０ａが引き出す電流が増加して、負荷への電力を一定にしている。また、電気二重層コンデンサの充放電は、出力電圧に応じて電気二重層コンデンサの直列並列数を切替える直並列切替回路（図示せず）を備え、充電時には直列接続、放電時には並列接続されて行われる。
【００５０】
本発明の屋外灯１は、昼間には照度センサ２６が検知する周囲の照度によって、照明部５を消灯して、ソーラーパネル４の発電した電力を電源ユニット９に充電するように設定できる。また、夜間などになると自動的に照明部５が点灯するように設定できる。また、夜間などにあっては、昼中にソーラーパネル４によって充電される電源ユニット９の電力を使用することとなるため、照明部５が点灯され、該照明部５によって特定領域を照らしている状態で、例えば人物がその特定領域を通過すると、人物がセンサ７によって検知されることとなり、制御装置８で電子カメラ６を制御して人物を撮影する。
【００５１】
このように夜間などにおいては、照明部５や電子カメラ６への電力は全て電源ユニット９から供給されているため、電源ユニット９の電圧低下により照明部５での明るさが低下したり、電子カメラ６が作動しなくなることがある。このため、電源ユニット９の充電量を検知して照明部５、電子カメラ６などの作動不能を判断する電源ユニット充電量確認部１４からネットワーク１１を経由して利用者側端末１０としてのパソコン２２、携帯通信端末２３でその作動不能を知ることができ、屋外灯装置の正常動作の確認に有益となり、作動不良が生じても迅速に対応でき、維持管理が好適となる。
【００５２】
また、電子カメラ６の撮影した画像は、無線ＬＡＮによってネットワーク１１に配信できるので、このネットワーク１１を使用して、屋外灯１の設置場所の周辺の人物を利用者側端末１０によってリアルタイムで確認することができることとなり、周辺箇所の防犯システムの一部を構成する複合機能を備えさせる屋外灯１を提供できる。このように、電力自己完結型の屋外灯１は複合機能を備えさせるので、付加価値を高めることができる。さらには、独立発電式で配線工事も不要なため、特別なメンテナンスを必要とせず、昼間に日の当たる所であれば設置場所を自由に選べ汎用性を有する。
【００５３】
また、カメラ制御部１３は、作動状態に常時維持しているセンサ７によって撮影対象が検知されたことのみを条件として、電子カメラ６を撮影作動させているため、電子カメラ６によって消費される電力を必要時以外、使用しないので、省電力化を図ることができる。この撮影対象が人物であれば、屋外灯１の周辺での防犯システムの一部に利用することができ、防犯・監視対策にも寄与することができる。これによって、太陽光が当たる場所に設置するだけで、ソーラーパネル４が発電した電力を蓄電した電源ユニット９によって、特定領域を電子カメラ６で撮影でき、自己完結型の独立電源式で配線工事も不要なため、昼間に太陽光が当たる所であれば設置場所を自由に選ぶことができ、防犯・監視を必要とする例えば、一般家庭の家の周辺、商業店舗、工場などの敷地内やその周辺、若しくは土木・建築工事の作業現場、他に駐車場（時間貸し駐車場、高速道路などのパーキングエリアを含む）や、路上、公園、庭園などの広域広場などへの設置ができ、防犯・監視対策に有益な屋外灯１を提供できる。
【００５４】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００５５】
１        屋外灯
２        支柱（本体）
３        基礎ボックス（格納部）
４        ソーラーパネル
４Ａ      パネルユニット
５        照明部
５Ａ      照明灯部（傾斜突出部）
６        電子カメラ（監視カメラ）
６ａ      カメラレンズ
７        センサ
８        制御装置
９        電源ユニット（蓄電部）
１３      カメラ制御部
１８      画像通信制御部（通信制御部）
３３      固定部  
３４      補助支柱（パネル支持部）
４１      下端（パネルユニット）
６０      フード
６１      ケース体
６２      保持部材（リング状部、取付部）
６３      ブラケット部
６３ａ    保持片
６４      突片
６５      支持ピン
１００      連結部材
【図１】
2010192374.tif 000003
【図２】
2010192374.tif 000004
【図３】
2010192374.tif 000005
【図４】
2010192374.tif 000006
【図５】
2010192374.tif 000007
【図６】
2010192374.tif 000008
【図７】
2010192374.tif 000009
【図８】
2010192374.tif 000010
【図９】
2010192374.tif 000011
【図１０】
2010192374.tif 000012
【図１１】
2010192374.tif 000013
【手続補正書】
【提出日】平成21年5月15日(2009.5.15)
【手続補正２】
【補正対象書類名】明細書
【補正対象項目名】０００６
【補正方法】変更
【補正の内容】
【０００６】
上記課題を解決するために、本発明の屋外灯は、地面側に位置して内部に二次電池で構成された蓄電部を格納した基礎ボックスと、その基礎ボックスの上面に形成された設置面に固定部を介して垂直に立ち上がる垂直部と、その垂直部の上端部から斜め上方へ延び出て内部に複数の発光ダイオードからなる照明光源を下側へ光を照射するように内装した照明灯部とで構成される一体的なパイプ材からなる本体と、前記垂直部の上端から傾斜状に斜め上方へ延び出た前記照明灯部と分岐する形態で垂直上方へ同軸的に延びるパイプ材からなり、上端部にソーラーパネルが連結された補助支柱と、前記垂直部の上端部もしくは前記照明灯部の基端部に設置され、前記照明光源の照射領域を少なくとも含むように撮影範囲が設定された監視カメラが格納されたケース体と、を備えた屋外灯であって、前記補助支柱の先端部には、その補助支柱が軸心となるように単体もしくは複数の前記ソーラーパネルがパネルユニットとなって配設され、そのパネルユニットが、前記照明灯部の上方で太陽光を受光するに適した傾斜状態となって回転変位自在になっており、前記ケース体内には、前記監視カメラの他に、その監視カメラで撮影された画像を予め定められた送信先へ送信する通信装置と、前記監視カメラの撮影を制御するとともに前記監視カメラから送られてくる信号を画像データに変換するカメラ制御部と、前記カメラ制御部の画像データを前記通信装置によって送信するための画像通信制御部と、が格納されており、前記基礎ボックスの内部と本体の内部空間とが連通し、前記ソーラーパネル及び前記照明光源に接続する配線部材と、前記ケース体に格納された前記監視カメラ・前記通信装置・前記カメラ制御部・前記通信制御部に接続するカメラ用配線部材とが、前記本体の内部空間と連通する前記基礎ボックスの内部に配置した前記ソーラーパネルで発電された電荷を蓄電する前記蓄電部に、前記本体を構成するパイプ材の内部空間に取り回されながら接続されていることを特徴とする設置場所が選択可能な屋外灯。
【手続補正３】
【補正対象書類名】明細書
【補正対象項目名】０００９
【補正方法】変更
【補正の内容】
【０００９】
上記課題を解決するために、本発明の屋外灯において、前記ケース体には窓部として形成された開口を有し、その開口に前記ケース体に格納される前記監視カメラのカメラレンズを位置させて、前記撮影範囲を臨むように配設させた態様で、このケース体が前記本体に固定されることを特徴とすることにより、監視カメラのカメラレンズ以外はケース体内に設けられるため、このケース体が耐候性・防水性などを有していれば監視カメラを保護することができ、かつ監視カメラで確実に撮影範囲を撮影できることとなる。
【手続補正４】
【補正対象書類名】明細書
【補正対象項目名】００４７
【補正方法】変更
【補正の内容】
【００４７】
屋外灯１は、図１０（ａ）、（ｂ）に示すように、電子カメラ６、ソーラーパネル４、照明部５、照度センサ２６、並びに電源ユニット９のそれぞれが制御装置８（カメラ制御部１３、画像通信制御部１８などを含む）に接続され、この制御装置８の制御指令に基づき、それぞれ駆動制御される。これらを電気的に接続するため、例えばソーラーパネル４と電源ユニット９及び電源ユニット９と照明光源とを電気的に接続する配線は、支柱２（本体）を構成するパイプ材の内部空間に配線部材Ｗ１が取り回される。また、電源ユニット９と電子カメラ６、画像通信制御部１８、カメラ制御部１３などを電気的に接続するカメラ配線は、支柱２の内部空間、及びケース体６１内に、カメラ配線部材Ｗ２を取り回して相互に接続させている。
【手続補正５】
【補正対象書類名】特許請求の範囲
【補正対象項目名】全文
【補正方法】変更
【補正の内容】
【特許請求の範囲】
【請求項１】
地面側に位置して内部に二次電池で構成された蓄電部を格納した基礎ボックスと、
その基礎ボックスの上面に形成された設置面に固定部を介して垂直に立ち上がる垂直部と、その垂直部の上端部から斜め上方へ延び出て内部に複数の発光ダイオードからなる照明光源を下側へ光を照射するように内装した照明灯部とで構成される一体的なパイプ材からなる本体と、
前記垂直部の上端から傾斜状に斜め上方へ延び出た前記照明灯部と分岐する形態で垂直上方へ同軸的に延びるパイプ材からなり、上端部にソーラーパネルが連結された補助支柱と、
前記垂直部の上端部もしくは前記照明灯部の基端部に設置され、前記照明光源の照射領域を少なくとも含むように撮影範囲が設定された監視カメラが格納されたケース体と、
を備えた屋外灯であって、
前記補助支柱の先端部には、その補助支柱が軸心となるように単体もしくは複数の前記ソーラーパネルがパネルユニットとなって配設され、そのパネルユニットが、前記照明灯部の上方で太陽光を受光するに適した傾斜状態となって回転変位自在になっており、
前記ケース体内には、前記監視カメラの他に、その監視カメラで撮影された画像を予め定められた送信先へ送信する通信装置と、前記監視カメラの撮影を制御するとともに前記監視カメラから送られてくる信号を画像データに変換するカメラ制御部と、前記カメラ制御部の画像データを前記通信装置によって送信するための画像通信制御部と、が格納されており、
前記基礎ボックスの内部と本体の内部空間とが連通し、
前記ソーラーパネル及び前記照明光源に接続する配線部材と、
前記ケース体に格納された前記監視カメラ・前記通信装置・前記カメラ制御部・前記通信制御部に接続するカメラ用配線部材とが、
前記本体の内部空間と連通する前記基礎ボックスの内部に配置した前記ソーラーパネルで発電された電荷を蓄電する前記蓄電部に、
前記本体を構成するパイプ材の内部空間に取り回されながら接続されていることを特徴とする設置場所が選択可能な屋外灯。
【請求項２】
前記ケース体には窓部として形成された開口を有し、その開口に前記ケース体に格納される前記監視カメラのカメラレンズを位置させて、前記撮影範囲を臨むように配設させた態様で、このケース体が前記本体に固定されることを特徴とする請求項１に記載の設置場所が選択可能な屋外灯。
【請求項３】
前記ケース体は連結部材を介して前記本体に固定され、その連結部材は前記本体に対し環状に締結されたリング状部と、そのリング状部と前記ケース体をつなぐブラケット部とを備え、そのブラケット部に対して前記ケース体が少なくとも上下方向に所定の角度で回動可能とされるヒンジ結合され、そのヒンジ結合における特定の角度で固定されることを特徴とする請求項１又は２に記載の設置場所が選択可能な屋外灯。
【請求項４】
前記ケース体は連結部材を介して前記本体に固定され、その連結部材は前記本体に形成された取付部と、その取付部に一端部が固定され他端部が前記ケース体に連結されたブラケット部とを備え、そのブラケット部に対して前記ケース体が少なくとも上下方向に所定の角度で回動可能とされるヒンジ結合され、そのヒンジ結合における特定の角度で固定されることを特徴とする請求項１又は２に記載の設置場所が選択可能な屋外灯。
【請求項５】
前記連結部材としてのブラケット部の他端側には保持片が設けられ、前記ケース体の下部には突片が設けられ、前記保持片と前記突片とは、支持ピンによって連結され、その支持ピンにより前記ケース体の全体の少なくとも上下方向の角度が変更されるように前記支持ピン周りに回動可能に支持され、前記ケース体が所定の角度で固定されることにより、前記監視カメラの前記カメラレンズの撮影角度もまた所定の角度に固定されることを特徴とする請求項３又は４に記載の設置場所が選択可能な屋外灯。
【請求項６】
前記ケース体の前記窓部の上側部位から外方へ突き出すようにフードが設けられ、該フードの内方に、前記監視カメラの前記カメラレンズが配設されることを特徴とする請求項２ないし５のいずれか１項に記載の設置場所が選択可能な屋外灯。
【請求項７】
前記ケース体内には、前記撮影範囲に居る撮影対象を検出するセンサが格納され、前記撮影範囲に居る撮影対象が前記センサで検出されたことを条件として、前記監視カメラによって前記撮影対象を所定時間にわたって撮影することを特徴とする請求項１ないし６のいずれか１項に記載の設置場所が選択可能な屋外灯。
【請求項８】
前記センサは、前記監視カメラの前記カメラレンズと一体的に組み込まれ、前記ケース体の前記窓部を通して前記監視カメラの撮影範囲に前記撮影対象が存在するかどうかを検出するものであることを特徴とする請求項７に記載の設置場所が選択可能な屋外灯。
【請求項９】
前記監視カメラによる撮影は、所定時間の間隔ごとに、所定時間にわたって撮影されることを特徴とする請求項１ないし６のいずれか１項に記載の設置場所が選択可能な屋外灯。
【請求項１０】
前記監視カメラによる撮影を制御する制御条件を、予め前記カメラ制御部に設定可能であることを特徴とする請求項１ないし９のいずれか１項に記載の設置場所が選択可能な屋外灯。
【手続補正書】
【提出日】平成21年8月13日(2009.8.13)
【手続補正２】
【補正対象書類名】明細書
【補正対象項目名】０００６
【補正方法】変更
【補正の内容】
【０００６】
上記課題を解決するために、本発明の屋外灯は、地面側に位置して内部に二次電池で構成された蓄電部を格納した基礎ボックスと、その基礎ボックスの上面に形成された設置面に固定部を介して垂直に立ち上がる垂直部と、その垂直部の上端部から斜め上方へ延び出て内部に複数の発光ダイオードからなる照明光源を下側へ光を照射するように内装した照明灯部とで構成され、前記照明光源と配線のみが収容される一体的なパイプ材からなる本体と、前記垂直部の上端部もしくは前記照明灯部の基端部に配置され、前記照明光源の照射領域を少なくとも含むように撮影範囲が設定された監視カメラが格納されたケース体と、前記垂直部の上端から傾斜状に斜め上方へ延び出た前記照明灯部と分岐する形態で垂直上方へ同軸的に延び、上端部にソーラーパネルが連結された補助支柱と、を備えた屋外灯であって、前記基礎ボックスの内部と前記本体の内部空間とが連通しており、前記ソーラーパネルは、前記補助支柱が軸心となるように単体もしくは複数個がパネルユニットとなって配設され、前記照明灯部の上方で太陽光を受光するに適した傾斜状態で回転変位自在になって前記補助支柱に取り付けられており、前記ケース体内には、前記監視カメラの他に、その監視カメラで撮影された画像を予め定められた送信先へ送信する通信装置と、前記監視カメラの撮影を制御するとともに前記監視カメラから送られてくる信号を画像データに変換するカメラ制御部と、前記カメラ制御部の画像データを前記通信装置によって送信するための画像通信制御部と、が格納されると共に、前記ケース体は連結部材を介して前記本体とは着脱自在になっており、前記ソーラーパネル及び前記照明光源に接続する配線部材と、前記ケース体に格納された前記監視カメラ・前記通信装置・前記カメラ制御部・前記通信制御部に接続するカメラ用配線部材とが、前記本体の内部空間と連通する前記基礎ボックスの内部に配置した前記ソーラーパネルで発電された電荷を蓄電する前記蓄電部に、前記本体を構成するパイプ材の内部空間に取り回されながら接続されており、前記基礎ボックスと前記本体と前記ソーラーパネルが連結された前記補助支柱とが一体となって設置可能になっており、前記基礎ボックスが置かれる設置場所では前記ケース体のみを取り付けすることを特徴とする選択された設置場所で直ちに設置できる屋外灯。
【手続補正３】
【補正対象書類名】明細書
【補正対象項目名】００１０
【補正方法】変更
【補正の内容】
【００１０】
上記課題を解決するために、本発明の屋外灯において、前記連結部材は前記本体に対し環状に締結されたリング状部と、そのリング状部と前記ケース体をつなぐブラケット部とを備え、そのブラケット部に対して前記ケース体が少なくとも上下方向に所定の角度で回動可能とされるヒンジ結合され、そのヒンジ結合における特定の角度で固定されることを特徴とすることや、また、前記連結部材は前記本体に形成された取付部と、その取付部に一端部が固定され、他端部が前記ケース体に連結されかつ、ブラケット部に対して前記ケース体が少なくとも上下方向に所定の角度で回動可能とされるヒンジ結合され、そのヒンジ結合における特定の角度で固定されることを特徴とすることにより、ケース体の装着固定後でも撮影範囲に向けて監視カメラによる撮影姿勢を最適に調整できる。
【手続補正４】
【補正対象書類名】特許請求の範囲
【補正対象項目名】全文
【補正方法】変更
【補正の内容】
【特許請求の範囲】
【請求項１】
地面側に位置して内部に二次電池で構成された蓄電部を格納した基礎ボックスと、
その基礎ボックスの上面に形成された設置面に固定部を介して垂直に立ち上がる垂直部と、その垂直部の上端部から斜め上方へ延び出て内部に複数の発光ダイオードからなる照明光源を下側へ光を照射するように内装した照明灯部とで構成され、前記照明光源と配線のみが収容される一体的なパイプ材からなる本体と、
前記垂直部の上端部もしくは前記照明灯部の基端部に配置され、前記照明光源の照射領域を少なくとも含むように撮影範囲が設定された監視カメラが格納されたケース体と、
前記垂直部の上端から傾斜状に斜め上方へ延び出た前記照明灯部と分岐する形態で垂直上方へ同軸的に延び、上端部にソーラーパネルが連結された補助支柱と、
を備えた屋外灯であって、
前記基礎ボックスの内部と前記本体の内部空間とが連通しており、
前記ソーラーパネルは、前記補助支柱が軸心となるように単体もしくは複数個がパネルユニットとなって配設され、前記照明灯部の上方で太陽光を受光するに適した傾斜状態で回転変位自在になって前記補助支柱に取り付けられており、
前記ケース体内には、前記監視カメラの他に、その監視カメラで撮影された画像を予め定められた送信先へ送信する通信装置と、前記監視カメラの撮影を制御するとともに前記監視カメラから送られてくる信号を画像データに変換するカメラ制御部と、前記カメラ制御部の画像データを前記通信装置によって送信するための画像通信制御部と、が格納されると共に、前記ケース体は連結部材を介して前記本体とは着脱自在になっており、
前記ソーラーパネル及び前記照明光源に接続する配線部材と、前記ケース体に格納された前記監視カメラ・前記通信装置・前記カメラ制御部・前記通信制御部に接続するカメラ用配線部材とが、前記本体の内部空間と連通する前記基礎ボックスの内部に配置した前記ソーラーパネルで発電された電荷を蓄電する前記蓄電部に、前記本体を構成するパイプ材の内部空間に取り回されながら接続されており、
前記基礎ボックスと前記本体と前記ソーラーパネルが連結された前記補助支柱とが一体となって設置可能になっており、前記基礎ボックスが置かれる設置場所では前記ケース体のみを取り付けすることを特徴とする選択された設置場所で直ちに設置できる屋外灯。
【請求項２】
前記設置場所での設置作業前および設置作業中において、前記ケース体に格納された前記監視カメラ・前記通信装置・前記カメラ制御部・前記通信制御部からなる防犯システムを稼動させて作業確認することを特徴とする請求項１に記載の選択された設置場所で直ちに設置できる屋外灯。
【請求項３】
前記ケース体には窓部として形成された開口を有し、その開口に前記ケース体に格納される前記監視カメラのカメラレンズを位置させて、前記撮影範囲を臨むように配設させた態様で、このケース体が前記本体に固定されることを特徴とする請求項１又は２に記載の選択された設置場所で直ちに設置できる屋外灯。
【請求項４】
前記連結部材は前記本体に対し環状に締結されたリング状部と、そのリング状部と前記ケース体をつなぐブラケット部とを備え、そのブラケット部に対して前記ケース体が少なくとも上下方向に所定の角度で回動可能とされるヒンジ結合され、そのヒンジ結合における特定の角度で固定されることを特徴とする請求項１ないし３のいずれか１項に記載の選択された設置場所で直ちに設置できる屋外灯。
【請求項５】
前記連結部材は前記本体に形成された取付部と、その取付部に一端部が固定され他端部が前記ケース体に連結されたブラケット部とを備え、そのブラケット部に対して前記ケース体が少なくとも上下方向に所定の角度で回動可能とされるヒンジ結合され、そのヒンジ結合における特定の角度で固定されることを特徴とする請求項１ないし３のいずれか１項に記載の選択された設置場所で直ちに設置できる屋外灯。
【請求項６】
前記連結部材としての前記ブラケット部の他端側には保持片が設けられ、前記ケース体の下部には突片が設けられ、前記保持片と前記突片とは、支持ピンによって連結され、その支持ピンにより前記ケース体の全体の少なくとも上下方向の角度が変更されるように前記支持ピン周りに回動可能に支持され、前記ケース体が所定の角度で固定されることにより、前記監視カメラの前記カメラレンズの撮影角度もまた所定の角度に固定されることを特徴とする請求項４又は５に記載の選択された設置場所で直ちに設置できる屋外灯。
【請求項７】
前記ケース体の前記窓部の上側部位から外方へ突き出すようにフードが設けられ、該フードの内方に、前記監視カメラの前記カメラレンズが配設されることを特徴とする請求項１ないし６のいずれか１項に記載の選択された設置場所で直ちに設置できる屋外灯。
【請求項８】
前記ケース体内には、前記撮影範囲に居る撮影対象を検出するセンサが格納され、前記撮影範囲に居る撮影対象が前記センサで検出されたことを条件として、前記監視カメラによって前記撮影対象を所定時間にわたって撮影することを特徴とする請求項１ないし７のいずれか１項に記載の選択された設置場所で直ちに設置できる屋外灯。
【請求項９】
前記センサは、前記監視カメラの前記カメラレンズと一体的に組み込まれ、前記ケース体の前記窓部を通して前記監視カメラの撮影範囲に前記撮影対象が存在するかどうかを検出するものであることを特徴とする請求項８に記載の選択された設置場所で直ちに設置できる屋外灯。
【請求項１０】
前記監視カメラによる撮影は、所定時間の間隔ごとに、所定時間にわたって撮影されることを特徴とする請求項１ないし７のいずれか１項に記載の選択された設置場所で直ちに設置できる屋外灯。
【請求項１１】
前記監視カメラによる撮影を制御する制御条件を、予め前記カメラ制御部に設定可能であることを特徴とする請求項１ないし１０のいずれか１項に記載の選択された設置場所で直ちに設置できる屋外灯。